(57)【特許請求の範囲】
【請求項１】
既設管の上部管壁に形成される貫通孔に連通可能な導出管部と、既設管の下部管壁に形成される貫通孔に連通可能な導出管部とを備えた分岐管継手を、既設管の外周面に固定し、この分岐管継手の上側導出管部に連通する上部配管系と、分岐管継手の下側導出管部に連通し、かつ、既設管の横側部を通して上方に導出される下部配管系との合流箇所に、穿孔機や消火栓等の機器又は他の配管に接続可能な分岐接続部を備えた三方弁を接続して、両配管系と分岐接続部とが連通する第１開き状態と、下部配管系と分岐接続部とが連通する第２開き状態、及び、両配管系と分岐接続部とが遮断された閉じ状態とに切替操作自在に構成するとともに、前記三方弁の分岐接続部に取付けられた穿孔機により、既設管内の流体の流通を遮断することなく、第１開き状態にある三方弁及び上側導出管部を通して既設管の上部管壁及び下部管壁に貫通孔を形成し、その後、穿孔機を取外した分岐接続部に消火栓等の機器又は他の配管を接続する分岐管接続工法。
【請求項２】
既設管の上部管壁に形成された貫通孔に連通する導出管部と、既設管の下部管壁に形成された貫通孔に連通する導出管部とを備えた分岐管継手を、既設管の外周面に固定し、この分岐管継手の上側導出管部に連通する上部配管系と、分岐管継手の下側導出管部に連通し、かつ、既設管の横側部を通して上方に導出される下部配管系との合流箇所に、穿孔機や消火栓等の機器又は他の配管に接続可能な分岐接続部を備えた三方弁を接続して、両配管系と分岐接続部とが連通する第１開き状態と、下部配管系と分岐接続部とが連通する第２開き状態、及び、両配管系と分岐接続部とが遮断された閉じ状態とに切替操作自在に構成するとともに、前記三方弁の分岐接続部に取付けられる穿孔機のカッターを、第１開き状態にある三方弁及び上側導出管部を通して既設管側に送込み可能に構成してある分岐管接続構造。
【請求項３】
前記三方弁及び下部配管系が、分岐管継手の両導出管部に対して縦軸芯周りの複数位置で選択的に固定自在に構成されている請求項２記載の分岐管接続構造。
【請求項４】
前記下部配管系には配管長さ調節手段が設けられている請求項２又は請求項３記載の分岐管接続構造。
【発明の詳細な説明】
【０００１】
【発明の属する技術分野】
本発明は、既設水道管等の既設管内の流体の流通を遮断せずに、既設管に、消火栓等の機器又は他の配管に接続可能な分岐接続部を接続する分岐管接続工法及びそれに用いられる分岐管接続構造に関する。
【０００２】
【従来の技術】
従来の分岐管接続工法では、例えば、図８（イ）に示すように、既設管としての既設水道管１に消火栓Ａを新設するに当たって、既設水道管１の外周面との間に水道管下部から水道管上部に亘って水道管周方向に沿う案内流路５０を形成する流路形成部材５１に、既設水道管１の径方向に沿う姿勢で案内流路５０の上部に開口する分岐用管部５２が一体形成されている分岐管継手Ｂを、既設水道管１の外周面に固定し、分岐管継手Ｂの分岐用管部５２に、該分岐用管部５２の連結フランジ５２ａの外径よりも大きな内部空間５３ａを備えた作業用仕切弁５３を介して穿孔機Ｃを取付け、この穿孔機Ｃの円筒状カッター９により、開き操作された作業用仕切弁５３及び分岐管継手Ｂの分岐用管部５２を通して既設水道管１の上部管壁及び下部管壁に夫々貫通孔１ａ，１ｂを形成する。
【０００３】
次に、図８（ロ）に示すように、穿孔機Ａを取外した作業用仕切弁５３に、分岐用管部５２を通して既設水道管１の上部貫通孔１ａを塞ぐ塞ぎ部材５４と、開閉弁５５を接続するための連結フランジ５７ｂを備えた分岐管５７、及び、これら両者５４，５７の連結フランジ５４ａ，５７ａ間に引抜き可能に挟み込まれる遮蔽板５６とを組付けてある挿入機Ｅを取付け、開き操作された作業用仕切弁５３及び分岐管継手Ｂの分岐用管部５２を通して挿入された塞ぎ部材５４により、既設水道管１の上部貫通孔１ａを塞いだのち、分岐用管部５２の連結フランジ５２ａと塞ぎ部材５４の連結フランジ５４ａとを締付け固定したのち、挿入機Ｅ及び作業用仕切弁５３を撤去する。
【０００４】
その後、図８（ハ）に示すように、分岐管５７の上部連結フランジ５７ｂに開閉弁５５を介して消火栓Ａを連通接続したのち、塞ぎ部材５４の連結フランジ５４ａと分岐管５７の下部連結フランジ５７ａとの締付けを緩めて、それらの間に介在されていた遮蔽板５６を引抜き、分岐管５７と分岐用管部５２とを連通接続したのち、分岐用管部５２の連結フランジ５２ａと塞ぎ部材５４の連結フランジ５４ａ及び分岐管５７の下部連結フランジ５７ａとを共締め固定する（例えば、特開平１０−２８１３７９号公報参照）。
【０００５】
【発明が解決しようとする課題】
従来の分岐管接続工法では、既設水道管１内の水道水の流通を遮断せずに、消火栓Ａを既設水道管１に接続するから、断水等の不便を利用者に強いることなく施工することができるとともに、既設水道管１の下部貫通孔１ｂから流出した水道水を流路形成部材５１の案内流路５０を通して分岐用管部５２に流入させ、開閉弁５５の開き操作で消火栓Ａから放水するように構成されているため、既設水道管１内の底部に溜まった砂や錆等が消火栓Ａからの放水に伴う水流に乗って効率良く排出することができる。
【０００６】
しかしながら、既設水道管１の上部管壁及び下部管壁に貫通孔１ａ，１ｂを形成するにあたっては、分岐管継手Ｂの分岐用管部５２に作業用仕切弁５３を取付ける必要があり、しかも、分岐用管部５２を通して既設水道管１の上部貫通孔１ａを塞ぐための塞ぎ部材５４と、この塞ぎ部材５４を含めて分岐管５７を装着するための挿入機Ｅとが必要で、更に、塞ぎ部材５４の連結フランジ５４ａと分岐管５７の連結フランジ５７ａとの締付けを緩めて、それらの間に介在されていた遮蔽板５６を引抜く工程が加わるため、施工機材数及び施工工程数が増加し、施工期間が増加するばかりでなく、施工コストが高騰する。
その上、分岐管継手Ｂの分岐用管部５２と既設水道管１の上部貫通孔１ａを塞ぐ塞ぎ部材５４とをフランジ継手で連結するため、作業用仕切弁５３としても、分岐用管部５２の連結フランジ５２ａの外径よりも大きな内部空間５３ａを備えた大型のものが必要で、施工時に多大の労力を要するばかりでなく、作業ピットの掘削容積も大きくなり、施工期間の増大化と施工コストの高騰化とを助長する要因になっていた。
【０００７】
本発明は、上述の実状に鑑みて為されたものであって、その主たる課題は、既設管内に溜まった堆積物を下部管壁の貫通孔を通して外部に効率良く排出することができるものでありながら、施工期間の短縮化と施工コストの低廉化とを図ることのできる分岐管接続工法及び分岐管接続構造を提供する点にある。
【０００８】
【課題を解決するための手段】
本発明の請求項１による分岐管接続工法の特徴構成は、既設管の上部管壁に形成される貫通孔に連通可能な導出管部と、既設管の下部管壁に形成される貫通孔に連通可能な導出管部とを備えた分岐管継手を、既設管の外周面に固定し、この分岐管継手の上側導出管部に連通する上部配管系と、分岐管継手の下側導出管部に連通し、かつ、既設管の横側部を通して上方に導出される下部配管系との合流箇所に、穿孔機や消火栓等の機器又は他の配管に接続可能な分岐接続部を備えた三方弁を接続して、両配管系と分岐接続部とが連通する第１開き状態と、下部配管系と分岐接続部とが連通する第２開き状態、及び、両配管系と分岐接続部とが遮断された閉じ状態とに切替操作自在に構成するとともに、前記三方弁の分岐接続部に取付けられた穿孔機により、既設管内の流体の流通を遮断することなく、第１開き状態にある三方弁及び上側導出管部を通して既設管の上部管壁及び下部管壁に貫通孔を形成し、その後、穿孔機を取外した分岐接続部に消火栓等の機器又は他の配管を接続する点にある。
【０００９】
上記特徴構成によれば、既設管の外周面の分岐相当箇所に分岐管継手を固定し、この分岐管継手の上側導出管部に連通する上部配管系と、分岐管継手の下側導出管部に連通し、かつ、既設管の横側部を通して上方に導出される下部配管系とを、穿孔機や消火栓等の機器又は他の配管に接続可能な分岐接続部を備えた三方弁を介して合流接続したのち、三方弁の分岐接続部に穿孔機を取付け、既設管内の流体の流通を維持したまま、第１開き状態にある三方弁及び上側導出管部を通して既設管の上部管壁及び下部管壁に貫通孔を形成する。
【００１０】
次に、第１開き状態にある三方弁を閉じ状態に操作し、三方弁の分岐接続部から穿孔機を取外したのち、この三方弁の分岐接続部に消火栓等の機器又は他の配管を接続する。
【００１１】
そして、前記三方弁を第２開き状態に操作すると、既設管の下部貫通孔から流出した流体が下部配管系及び三方弁を通して消火栓等の機器又は他の配管に流入するため、既設管内に溜まった堆積物を外部に効率良く排出することができる。
【００１２】
従って、一つの三方弁を用いて、既設管の上部管壁及び下部管壁に貫通孔を形成する際の作業用仕切弁と、消火栓等の機器又は他の配管に対する開閉弁とに兼用使用することができるとともに、従来工法のように、既設水道管の上部貫通孔を塞ぐための塞ぎ部材と、この塞ぎ部材を含めて消火栓及び開閉弁を装着するための大きな挿入機とを別途準備する必要が無く、しかも、それに伴って施工工程数の削減と労力の軽減とを図ることができる。
【００１３】
それ故に、既設管内に溜まった堆積物を下部管壁の貫通孔を通して外部に効率良く排出することができるものでありながら、従来工法に比して施工期間の短縮化と施工コストの低廉化とを図ることができる。
【００１４】
本発明の請求項２による分岐管接続構造の特徴構成は、既設管の上部管壁に形成された貫通孔に連通する導出管部と、既設管の下部管壁に形成された貫通孔に連通する導出管部とを備えた分岐管継手を、既設管の外周面に固定し、この分岐管継手の上側導出管部に連通する上部配管系と、分岐管継手の下側導出管部に連通し、かつ、既設管の横側部を通して上方に導出される下部配管系との合流箇所に、穿孔機や消火栓等の機器又は他の配管に接続可能な分岐接続部を備えた三方弁を接続して、両配管系と分岐接続部とが連通する第１開き状態と、下部配管系と分岐接続部とが連通する第２開き状態、及び、両配管系と分岐接続部とが遮断された閉じ状態とに切替操作自在に構成するとともに、前記三方弁の分岐接続部に取付けられる穿孔機のカッターを、第１開き状態にある三方弁及び上側導出管部を通して既設管側に送込み可能に構成されている点にある。
【００１５】
上記特徴構成によれば、既設管の外周面の分岐相当箇所に分岐管継手を固定し、この分岐管継手の上側導出管部に連通する上部配管系と、分岐管継手の下側導出管部に連通し、かつ、既設管の横側部を通して上方に導出される下部配管系とを、穿孔機や消火栓等の機器又は他の配管に接続可能な分岐接続部を備えた三方弁を介して合流接続したのち、三方弁の分岐接続部に穿孔機を取付け、この穿孔機のカッターを、第１開き状態にある三方弁及び上側導出管部を通して送り込み、既設管の上部管壁及び下部管壁に貫通孔を形成する。
【００１６】
次に、第１開き状態にある三方弁を閉じ状態に操作し、三方弁の分岐接続部から穿孔機を取外したのち、この三方弁の分岐接続部に消火栓等の機器又は他の配管を接続する。
【００１７】
そして、前記三方弁を第２開き状態に操作すると、既設管の下部貫通孔から流出した流体が下部配管系及び三方弁を通して消火栓等の機器又は他の配管に流入するため、既設管内に溜まった堆積物を外部に効率良く排出することができる。
【００１８】
従って、一つの三方弁を用いて、既設管の上部管壁及び下部管壁に貫通孔を形成する際の作業用仕切弁と、消火栓等の機器又は他の配管に対する開閉弁とに兼用使用することができるとともに、従来工法のように、既設水道管の上部貫通孔を塞ぐための塞ぎ部材と、この塞ぎ部材を含めて消火栓及び開閉弁を装着するための大きな挿入機とを別途準備する必要が無く、しかも、それに伴って施工工程数の減少と労力の軽減とを図ることができる。
【００１９】
それ故に、既設管内に溜まった堆積物を下部管壁の貫通孔を通して外部に効率良く排出することができるものでありながら、従来工法に比して施工期間の短縮化と施工コストの低廉化とを図ることができる。
【００２０】
本発明の請求項３による分岐管接続構造の特徴構成は、前記三方弁及び下部配管系が、分岐管継手の両導出管部に対して縦軸芯周りの複数位置で選択的に固定自在に構成されている点にある。
【００２１】
上記特徴構成によれば、分岐管継手の両導出管部に対して、三方弁及び下部配管系を縦軸芯周りの複数位置で選択的に固定することができるから、既設管の分岐箇所に掘削形成される作業ピットの大きさ等の施工条件に応じて、その施工条件に最も適した向き姿勢で下部配管系を取付けることができる。
【００２２】
本発明の請求項４による分岐管接続構造の特徴構成は、前記下部配管系に配管長さ調節手段が設けられている点にある。
【００２３】
上記特徴構成によれば、分岐管継手の下側導出管部から分岐管継手の上側導出管部に連通接続された三方弁までの配管長さが、施工条件によって変動する場合でも、この変動代を下部配管系に設けた配管長さ調節手段で吸収することができるから、下部配管系の共通化によって施工コストの低廉化を促進することができる。
【００２４】
【発明の実施の形態】
〔第１実施形態〕
図１〜図５は、既設管の一例である地中に埋設されている既設水道管１の上部管壁１Ａ及び下部管壁１Ｂに、既設水道管１の軸芯を通る鉛直方向（管径方向）に沿って同芯状態で貫通する同径の分岐用貫通孔１ａ，１ｂを形成するとともに、機器の一例である消火栓Ａを、ボール式の三方弁２及び既設水道管１に水密状態で外装固定されるダクタイル鋳鉄製の分岐管継手Ｂを介して既設水道管１の両貫通孔１ａ，１ｂに連通接続してある分岐管接続構造を示す。
【００２５】
前記分岐管継手Ｂは、既設水道管１の周方向で二分割された上下一対の分割管継手体３，４からなり、各分割管継手体３，４には、既設水道管１の両貫通孔１ａ，１ｂから流出する水道水（流体の一例）の漏洩を防止する弾性シール材５が装着されているとともに、各分割管継手体３，４の周方向両端に形成された連結フランジ３ａ，４ａのうち、既設水道管１の外周面に外装した状態において上下方向で相対向する連結フランジ３ａ，４ａ同士が、ボルト６ａ・ナット６ｂからなる締結具６を介して固定連結されている。
【００２６】
前記上部分割管継手体３には、既設水道管１の上部貫通孔１ａに対して管径方向から同芯状態で連通可能で、かつ、管径方向外方に向って突出する先端部に連結フランジ７ａを備えた導出管部７が一体形成されているとともに、前記下部分割管継手体４には、既設水道管Ｐの下部貫通孔１ｂに対して管径方向から同芯状態で連通可能で、かつ、管径方向外方に向って突出する先端部に連結フランジ８ａを備えた導出管部８が一体形成されている。
【００２７】
前記各導出管部７，８の内径は、既設水道管１の両貫通孔１ａ，１ｂよりも大径に構成されていて、両貫通孔１ａ，１ｂを形成する穿孔機Ｃの円筒状カッター９の昇降移動を許容するように構成されている。
【００２８】
前記三方弁２は、分岐管継手Ｂの上側導出管部７に連通する上部配管系と、分岐管継手Ｂの下側導出管部８に連通し、かつ、既設水道管１の横外側部を通して上方に導出される下部配管系との合流箇所に接続されていて、ボール状の弁体２Ａを内装してある弁ケース２Ｂの下端部には、上部配管系を構成する上側導出管部７の連結フランジ７ａにボルト１１を介して水密状態で固定連結される連結フランジ２ａが一体形成されている。
【００２９】
また、弁ケース２Ｂの上端部には、穿孔機Ｃや消火栓Ａ等の機器又は他の配管に接続可能な分岐接続部を構成する連結フランジ２ｂが一体形成されているとともに、弁ケース２Ｂの上下中間部には、下部配管系の上部水平配管１８に水密状態で嵌合接続される合流用接続筒部２Ｃが一体的に突出形成されている。
【００３０】
そして、三方弁２の弁体２Ａを操作することにより、図３（イ）に示すように、両配管系と上部連結フランジ２ｂに接続された消火栓Ａとが連通する第１開き状態と、図３（ロ）に示すように、下部配管系と消火栓Ａとが連通する第２開き状態、及び、図３（ハ）に示すように、両配管系と分岐接続部とが遮断された閉じ状態とに切替操作自在に構成されている。
【００３１】
前記下部配管系は、下側導出管部８の連結フランジ８ａにボルト１２を介して水密状態で固定連結される連結フランジ１３ａを備えたＬ字状の下部水平配管１３と、該下部水平配管１３に第１エルボ１４を介して連通接続される下部鉛直配管１５と、該下部鉛直配管１５に配管長さ調節手段Ｄを介して連通接続される上部鉛直配管１６と、一端側が上部鉛直配管１６に第２エルボ１７を介して連通接続され、かつ、他端側が三方弁２の合流用接続筒部２Ｃに連投接続される上部水平配管１８とから構成されている。
【００３２】
前記配管長さ調節手段Ｄは、図２、図４（イ）、（ロ）に示すように、下部鉛直配管１５の連結フランジ１５ａにボルト２０を介して水密状態で固定連結される第１連結フランジ２１ａを備えた第１調節管２１と、上部鉛直配管１６の連結フランジ１６ａに調節ボルト２２、ナット２３を介して水密状態で固定連結される連結フランジ２４ａを備えた第２  調節管２４とが、鉛直方向にスライド移動自在に弾性シール材２５を介して水密状態で嵌合接続されているとともに、前記第１調節管２１の外周面には、調節ボルト２２が挿通される第２連結フランジ２１ｂが突設され、更に、前記調節ボルト２２には、第２連結フランジ２１ｂの両側面に当て付けられる状態で調節ナット２６，２７が螺合されている。
【００３３】
そして、前記両調節ナット２６，２７の螺合操作によって、第１調節管２１と第２  調節管２４とを鉛直方向にスライド移動させることにより、分岐管継手Ｂの下側導出管部８から三方弁２の合流用接続筒部２Ｃまでの配管長さを、施工条件に応じて調節することができる。
【００３４】
また、上側導出管部７の連結フランジ７ａ及び下側導出管部８の連結フランジ８ａに対して、三方弁２の連結フランジ２ａ及び下部水平配管１３の連結フランジ１３ａを縦軸芯周り設定角度ずつ付替え自在に構成して、前記三方弁２及び下部配管系が、分岐管継手Ｂの両導出管部７，８に対して縦軸芯周りの複数位置で選択的に固定自在に構成されている。
【００３５】
次に、機器の一例である消火栓Ａを、三方弁２及び既設水道管１に水密状態で外装固定される分岐管継手Ｂを介して既設水道管１の両貫通孔１ａ，１ｂに連通接続する分岐管接続工法について説明する。
【００３６】
消火栓Ａの設置箇所に作業用ピットＰを掘削して既設水道管１を露出させ、その外周面を清掃した後、図１に示すように、弾性シール材５を装着した分岐管継手Ｂの両分割管継手体３，４を、それらに一体形成された両導出管部７，８が鉛直方向に向く状態で既設水道管１の外周面に外装して締結具６で固定連結する。
【００３７】
分岐管継手Ｂの上側導出管部７の連結フランジ７  ａに、三方弁２の下部連結フランジ２ａをボルト１１で固定連結するとともに、下側導出管部８の連結フランジ８ａに対して、下部水平配管１３、第１エルボ１４、下部鉛直配管１５、配管長さ調節手段Ｄを構成する両調節管２１，２４、上部鉛直配管１６、第２エルボ１７、三方弁２の合流用接続筒部２Ｃに嵌合接続されている上部水平配管１８を順次連通接続して、分岐管継手Ｂの下側導出管部８から三方弁２に至る下部配管系を構築する。
【００３８】
次に、三方弁２の上部連結フランジ２ｂに、穿孔機Ｃの連結フランジ２９をボルト３０で固定連結するとともに、前記三方弁２を、図３（イ）に示すように、両配管系と穿孔機Ｃとが連通する第１開き状態に切換え操作したのち、円筒状カッター９を駆動回転させながら三方弁２内の通路、分岐管継手Ｂの上側導出管部７内に沿って送込み、既設水道管１内の水道水の流通を遮断することなく、既設水道管１の上部管壁１Ａ及び下部管壁１Ｂに貫通孔１ａ，１ｂを形成する。
【００３９】
この貫通孔１ａ，１ｂの加工が終了すると、円筒状カッター９を初期位置に戻し操作したのち、図３（ハ）に示すように、両配管系と穿孔機Ｃとが遮断された閉じ状態に切換え操作し、三方弁２の上部連結フランジ２ｂから穿孔機Ｃを取外す。
【００４０】
次に、図２に示すように、三方弁２の上部連結フランジ２ｂに、消火栓Ａの連結フランジ３１をボルト３２で固定連結するとともに、前記三方弁２を、図３（ロ）に示すように、下部配管系と消火栓Ａとが連通する第２開き状態に切換え操作すると、既設水道管１の下部貫通孔１ｂから流出した流体が下部配管系及び三方弁２を通して消火栓Ａに流入するため、既設水道管１内に溜まった堆積物を外部に効率良く排出することができる。
【００４１】
また、下部配管系の一部が作業用ピットＰの内壁や他物に当たる場合には、図５に示すように、上側導出管部７の連結フランジ７ａ、下側導出管部８の連結フランジ８ａ、三方弁２の連結フランジ２ａ、下部水平配管１３の連結フランジ１３ａに形成されている多数の取付け孔のうち、下部配管系に設けた配管長さ調節手段Ｄが既設水道管１に極力近接する取付け位置において合致する取付け孔を選択し、その取付け孔を使用して、上側導出管部７の連結フランジ７ａと三方弁２の連結フランジ２ａ、及び、下側導出管部８の連結フランジ８ａと下部水平配管１３の連結フランジ１３ａとを固定連結する。
【００４２】
〔第２実施形態〕
上述の第１実施形態では、下部配管系の下部鉛直配管１５と上部鉛直配管１６とを、調節代の大きな配管長さ調節手段Ｄを介して連通接続したが、図６、図７に示すように、下部鉛直配管１５と上部鉛直配管１６とを、伸縮調節機能と抜止め機能とを備えた管継手Ｆを介して連通接続してもよい。
【００４３】
前記管継手Ｆは、下部鉛直配管１５の直管端部及び上部鉛直配管１６の直管端部が差込み接続される継手本体３５と、継手本体３５の内周面とそれに差込み接続された直管端部の外周面との間に介装された弾性シール材を管軸芯方向から押圧する押輪３６と、継手本体３５の連結フランジ３５ａと押輪３６の連結フランジ３６ａとを管軸芯方向から固定連結するボルト３７・ナット３８とから構成されているとともに、前記押輪３６には、下部鉛直配管１５及び上部鉛直配管１６の外周面に管径方向から喰い込む抜止めリングが内装されている。
【００４４】
また、前記継手本体３５の連結フランジ３５ａ及び押輪３６の連結フランジ３６ａは、平面視において楕円状に構成されているため、図６に示すように、両連結フランジ３５ａ，３６ａの長径方向を既設水道管１の管軸芯方向に沿わせることにより、下部配管系を既設水道管１側により近接配置することができる。
尚、その他の構成は、第１実施形態で説明した構成と同一であるから、同一の構成箇所には、第１実施形態と同一の番号を付記してそれの説明は省略する。
【００４５】
〔その他の実施形態〕
（１）上述の第１実施形態では、弁ケース２Ｂの上端部に形成した分岐接続部としての連結フランジ２ｂに、機器の一例である消火栓Ａを固定連結したが、この連結フランジ２ｂに他の配管の連結フランジを固定連結して実施してもよい。
（２）上述の第１実施形態では、穿孔機Ｃや消火栓Ａ等の機器又は他の配管に接続可能な分岐接続部２ｂを連結フランジから構成したが、この構成に限定されるものではなく、穿孔機Ｃや消火栓Ａ等の機器又は他の配管に接続できるものであれば、如何なる構造のものを採用してもよい。
（３）上述の第１実施形態では、下部配管系を硬質の配管材で構成したが、下部配管系の少なくとも一部を屈曲自在な可撓管から構成してもよい。
【図面の簡単な説明】
【図１】本発明の分岐管接続構造及び分岐管接続工法を示す穿孔機取付け時の部分断面側面図
【図２】消火栓取付け時の部分断面側面図
【図３】（イ）は三方弁の第１開き状態を示す拡大断面図
（ロ）は三方弁の第２開き状態を示す拡大断面図
（ハ）は三方弁の閉じ状態を示す拡大断面図
【図４】（イ）は配管長さ調節手段の最小収縮状態を示す拡大断面図
（ロ）は配管長さ調節手段の最大伸展状態を示す拡大断面図
【図５】下部配管系に設けた配管長さ調節手段を既設水道管に近接配置したときの正面図
【図６】本発明の第２実施形態を示す消火栓取付け時の平面図
【図７】消火栓取付け時の正面図
【図８】従来の分岐管接続工法を示し、
（イ）は穿孔機取付け時の部分断面図
（ロ）は挿入機取付け時の部分断面図
（ハ）は消火栓取付け時の部分断面図
【符号の説明】
Ａ      消火栓
Ｂ      分岐管継手
Ｃ      穿孔機
Ｄ      配管長さ調節手段
１      既設管（既設水道管）
１Ａ    上部管壁
１Ｂ    下部管壁
１ａ    上部貫通孔
１ｂ    下部貫通孔
２      三方弁
２ｂ    分岐接続部（連結フランジ）
７      上側導出管部
８      下側導出管部
【図１】
0003623180.tif 000002
【図２】
0003623180.tif 000003
【図３】
0003623180.tif 000004
【図４】
0003623180.tif 000005
【図５】
0003623180.tif 000006
【図６】
0003623180.tif 000007
【図７】
0003623180.tif 000008
【図８】
0003623180.tif 000009